(57)【要約】      （修正有）【課題】  棚板などを支持する支持桿の高さを簡単に変更することができるラックを提供する。【解決手段】  立設された左右一対の支柱２と、各支柱２に着脱可能に取り付けられ且つ自由端である前端部が支柱２の前方に延びる一対の支持桿３と、一対の支持桿３間に架設された棚板５とを備えるラックであって、支持桿３は、支柱２に取り付けるための連結部６と、連結部６から前方に突出する桿部７とを備え、連結部６は、桿部７が設けられた連結部本体６１と、連結部本体６１の後方部から突設され且つ支柱の背面に当接しうる後止め部６２と、連結部本体６１の前方部であって前記後止め部６２よりも前斜め下方位置から突設され且つ支柱２の正面に当接しうる前止め部６３ａと、支柱２の背面に掛止しうる掛止部６４とを備える。【選択図】      図５
2006015044.tif 000002
【特許請求の範囲】
【請求項１】
立設された左右一対の支柱と、前記各支柱に着脱可能に取り付けられ且つ自由端である前端部が支柱の前方に延びる一対の支持桿と、前記一対の支持桿間に架設された棚板と、を備えるラックであって、
前記支持桿は、支柱に取り付けるための連結部と、前記連結部から前方に突出する桿部とを備え、
前記連結部は、前記桿部が設けられた連結部本体と、前記連結部本体の後方部から突設され且つ支柱の背面に当接しうる後止め部と、前記連結部本体の前方部であって前記後止め部よりも前斜め下方位置から突設され且つ支柱の正面に当接しうる前止め部と、前記支柱に掛止しうる掛止部とを備え、
前記支持桿は、前記連結部の後止め部及び前止め部を支柱の背面及び正面に当接させ且つ掛止部を支柱に掛止させることにより支柱に固定されており、
前記固定状態の支持桿の桿部を下方から支柱側へと回動させることにより、前記連結部の後止め部又は前止め部の少なくとも一方が支柱の背面又は正面から離反すると共に、前記掛止部の支柱に対する掛止が解除されることを特徴とするラック。
【請求項２】
立設された左右一対の支柱と、前記各支柱に着脱可能に取り付けられ且つ自由端である前端部が支柱の前方に延びる一対の支持桿と、前記一対の支持桿間に架設された棚板と、を備えるラックであって、
前記支持桿は、支柱に取り付けるための連結部と、前記連結部から前方に突出する桿部とを備え、
前記連結部は、前記桿部が設けられた連結部本体と、前記連結部本体の後方部から突設され且つ支柱の背面に当接しうる後止め部と、前記連結部本体の前方部であって前記後止め部よりも前斜め下方位置から突設され且つ支柱の正面に当接しうる前止め部と、前記支柱の背面に掛止しうる掛止部とを備え、
前記支持桿は、前記連結部の後止め部及び前止め部を支柱の背面及び正面に当接させ且つ掛止部を支柱の背面に掛止させることにより支柱に固定されており、
前記固定状態の支持桿の桿部を下方から支柱側へと回動させることにより、前記連結部の後止め部が支柱の背面から離反すると共に、前記掛止部の支柱に対する掛止が解除されることを特徴とするラック。
【請求項３】
前記連結具本体には、前記後止め部及び前止め部を支柱の背面及び正面に当接させた際、前記後止め部を始点として下方に延び且つ前記支柱の背面に当接する後面部が延設されている請求項２記載のラック。
【請求項４】
前記連結具本体には、前記支持桿の桿部を下方から支柱側へと回動させた際、前記前止め部を始点として上方に延び且つ前記支柱の正面に当接する前面部が延設されている請求項２又は３記載のラック。
【請求項５】
前記支柱の背面には、長手方向に所定間隔をあけて複数の孔部が並設されており、前記連結部の掛止部が、前記支柱の孔部に挿入掛止される請求項２〜４の何れかに記載のラック。
【請求項６】
立設された左右一対の角状支柱と、前記各支柱に着脱可能に取り付けられ且つ自由端である前端部が支柱の前方に延びる一対の支持桿と、前記一対の支持桿間に架設された棚板と、を備えるラックであって、
前記支持桿は、支柱に取り付けられる連結部と、前記連結部から前方に突設された桿部とを備え、
前記連結部は、支柱の内側の側面に当接する基面部を有する連結部本体と、前記基面部の後方部から略直角に突設され且つ支柱の背面に当接する後面部と、前記基面部の前方部から略直角に突設され且つ支柱の正面に当接する前面部とを備え、
前記支柱は、長手方向に所定間隔をあけて形成された複数の孔部と、前記孔部に嵌着可能な突起部材とを備えており、
前記支持桿は、連結部の基面部、後面部及び前面部が支柱の側面、背面及び正面の３面に当接されていると共に、支柱の孔部に嵌合された突起部材によって下方にずれないように固定されていることを特徴とするラック。
【請求項７】
前記孔部は、支柱の背面に形成されている請求項６記載のラック。
【請求項８】
立設された支柱と、前記支柱に取り付けられ且つ自由端である前端部が支柱の前方に延びる支持桿とを備えており、前記支持桿に下向き荷重が加えられる片持ち型の支持桿の取付構造であって、
前記支持桿は、支柱に取り付けるための連結部と、前記連結部から前方に突出する桿部とを備え、
前記連結部は、前記桿部が設けられた連結部本体と、前記連結部本体の後方部から突設され且つ支柱の背面に当接しうる後止め部と、前記連結部本体の前方部であって前記後止め部よりも前斜め下方位置から突設され且つ支柱の正面に当接しうる前止め部と、前記支柱に掛止しうる掛止部とを備え、
前記支持桿は、前記連結部の後止め部及び前止め部を支柱の背面及び正面に当接させ且つ掛止部を支柱に掛止させることにより支柱に固定されており、
前記固定状態の支持桿の桿部を下方から支柱側へと回動させることにより、前記連結部の後止め部又は前止め部の少なくとも一方が支柱の背面又は正面から離反すると共に、前記掛止部の支柱に対する掛止が解除されることを特徴とする支持桿の取付構造。
【発明の詳細な説明】
【技術分野】
【０００１】
本発明は、支柱から前方に延びる支持桿に物品を載置する棚板が取り付けられたラック、及び支持桿の取付構造に関する。
【背景技術】
【０００２】
商品の陳列や家庭での整理棚等として、各種の組立式ラックが用いられている。
従来、支柱に棚板を取り付けたラックとして、左右一対の支柱と、各支柱に後端部が取り付けられ且つ前端部が支柱の前方に延びる一対の支持桿と、この一対の支持桿間に架設された棚板とを備える正面開放型のラックが知られている。
例えば、特開２００１−２５８６５８には、長手方向に所定間隔をおいて突状の支持片１４が複数突設された左右一対の縦部材１２と、この縦部材１２の内側の側面及び正背面に当接する断面コの字状の挟着片１６を有する左右一対の棚板支持桿１８と、この左右一対の棚板支持桿１８に架設された棚板２０とを備え、棚板支持桿１８の挟着片１６を縦部材１２の内側面方向から嵌め合わせると共に、挟着片１６の下方が縦部材１２の支持片１４にて支承されてなる正面開放型のラックが開示されている。
かかる正面開放型のラックは、挟着片１６を縦部材１２に挟着させ、挟着片１６を縦部材１２の支持片１４に支承させるだけでネジなどを一切省略して装着できるという効果を奏するというものである。
【０００３】
ところで、この種のラックは、レイアウト変更等のため、棚板の高さを変更することがある。
しかしながら、上記公報記載のラックは、棚板２０の高さを変更したい場合、棚板２０や棚板支持桿１８などを縦部材１２から取り外して各部材を解体しなければならない。すなわち、上記ラックは、断面コ字状の挟着片１６を縦部材１２の側面及び正背面に当接させて挟着すると共に、縦部材１２から突設された突状の支持片１４にて支承する構成であるため、棚板支持桿１８を上下に移動しようとしても、縦部材１２の支持片１４が棚板支持桿１８の挟着片１６に当たり、これを移動させることができない。従って、挟着片１６を縦部材１２に取り付けた状態では、棚板支持桿１８の取付位置を変更することができないという問題があり、更に、高さを変更した後には、再度各部材を組み立てなければならず、非常に煩雑である。
【０００４】
また、上記ラックの縦部材１２は、背面に突状の支持片１４が突設されているため、梱包や組立作業持に、突出した支持片１４が引掛かり易いという取扱い上の利便性が悪いという問題がある。
【０００５】
【特許文献１】特開２００１−２５８６５８の［０００９］、［００１４］及び図２、図３等
【発明の開示】
【発明が解決しようとする課題】
【０００６】
本発明は、上記の点に鑑み、棚板などを支持する支持桿の高さを簡単に変更することができるラック及び支持桿の取付構造を提供することを課題とする。さらに、本発明の他の目的は、取扱い性に優れたラック及び支持桿の取付構造を提供することを課題とするものである。
【課題を解決するための手段】
【０００７】
そこで、本発明は、立設された左右一対の支柱と、前記各支柱に着脱可能に取り付けられ且つ自由端である前端部が支柱の前方に延びる一対の支持桿と、一対の支持桿間に架設された棚板とを備えるラックであって、支持桿は、支柱に取り付けるための連結部と、連結部から前方に突出する桿部とを備え、連結部は、桿部が設けられた連結部本体と、連結部本体の後方部から突設され且つ支柱の背面に当接しうる後止め部と、連結部本体の前方部であって後止め部よりも前斜め下方位置から突設され且つ支柱の正面に当接しうる前止め部と、支柱に掛止しうる掛止部とを備え、支持桿は、連結部の後止め部及び前止め部を支柱の背面及び正面に当接させ且つ掛止部を支柱に掛止させることにより支柱に固定されており、固定状態の支持桿の桿部を下方から支柱側へと回動させることにより、連結部の後止め部又は前止め部の少なくとも一方が支柱の背面又は正面から離反すると共に、掛止部の支柱に対する掛止が解除されることを特徴とするラックに係る。
【０００８】
上記ラックは、固定状態の支持桿の桿部を下方から支柱側へと回動させることにより、連結部の後止め部又は前止め部の少なくとも一方が支柱の背面又は正面から離反すると共に掛止部の支柱に対する掛止が解除されるので、支持桿の連結部を支柱に対して自由に移動させることができる。従って、各部材を解体することなく、支持桿に取付けられた棚板の高さ変更を簡単に行うことができる。
【０００９】
また、本発明は、立設された左右一対の支柱と、各支柱に着脱可能に取り付けられ且つ自由端である前端部が支柱の前方に延びる一対の支持桿と、一対の支持桿間に架設された棚板とを備えるラックであって、支持桿は、支柱に取り付けるための連結部と、連結部から前方に突出する桿部とを備え、連結部は、桿部が設けられた連結部本体と、連結部本体の後方部から突設され且つ支柱の背面に当接しうる後止め部と、連結部本体の前方部であって前記後止め部よりも前斜め下方位置から突設され且つ支柱の正面に当接しうる前止め部と、支柱の背面に掛止しうる掛止部とを備え、支持桿は、連結部の後止め部及び前止め部を支柱の背面及び正面に当接させ且つ掛止部を支柱の背面に掛止させることにより支柱に固定されており、固定状態の支持桿の桿部を下方から支柱側へと回動させることにより、連結部の後止め部が支柱の背面から離反すると共に、掛止部の支柱に対する掛止が解除されることを特徴とするラックに係る。
【００１０】
上記ラックは、固定状態の支持桿の桿部を下方から支柱側へと回動させることにより、連結部の後止め部が支柱の背面から離反すると共に、掛止部の支柱に対する掛止が解除されるので、支持桿の連結部を支柱に対して自由に移動させることができる。従って、各部材を解体することなく、支持桿に取付けられた棚板の高さ変更を簡単に行うことができる。
【００１１】
さらに、本発明の好ましい態様のラックは、後止め部及び前止め部を支柱の背面及び正面に当接させた際、上記連結具本体には、後止め部を始点として下方に延び且つ支柱の背面に当接する後面部が延設されているものであり、かかるラックは、支柱の背面に当接する後止め部と連続的に後面部が形成されているので、連結部の後方部が支柱に面で接し、よって、支持桿を支柱に頑丈に固定することができる。
【００１２】
また、本発明の好ましい態様のラックは、支持桿の桿部を下方から支柱側へと回動させた際、上記連結具本体には、前止め部を始点として上方に延び且つ支柱の正面に当接する前面部が延設されているものであり、かかるラックは、掛止部の支柱に対する掛止が解除された際に、支柱の正面に前面部が面で接するので、前面部を支柱に対して摺り動かしながら支持桿の連結部を移動させることができる。従って、この前面部が移動用ガイドとなり、スムースに支持桿を移動させることができる。
【００１３】
さらに、本発明の好ましい態様のラックは、支柱の背面に、長手方向に所定間隔をあけて複数の孔部が並設されており、連結部の掛止部が、支柱の孔部に挿入掛止されるものであり、かかるラックは、孔部が支柱の背面に形成されているので、正面側の美観が損なわれることはなく、又、支柱には、支持片などの突起部分を形成する必要がないので、梱包、組立時などの取扱い性に優れている。
【００１４】
さらに、本発明の第２の手段は、立設された左右一対の角状支柱と、各支柱に着脱可能に取り付けられ且つ自由端である前端部が支柱の前方に延びる一対の支持桿と、一対の支持桿間に架設された棚板とを備えるラックであって、記支持桿は、支柱に取り付けられる連結部と、連結部から前方に突設された桿部とを備え、連結部は、支柱の内側の側面に当接する基面部を有する連結部本体と、この基面部の後方部から略直角に突設され且つ支柱の背面に当接する後面部と、この基面部の前方部から略直角に突設され且つ支柱の正面に当接する前面部とを備え、支柱は、長手方向に所定間隔をあけて形成された複数の孔部と、孔部に嵌着可能な突起部材とを備えており、支持桿は、連結部の基面部、後面部及び前面部が支柱の側面、背面及び正面の３面に当接されていると共に、支柱の孔部に嵌合された突起部材によって下方にずれないように固定されていることを特徴とするラックに係る。好ましくは、上記孔部が支柱の背面に形成されている。
【００１５】
上記ラックは、支持桿の連結部が支柱の３面に当接していると共に、支持桿を固定する突起部材が、支柱の孔部に着脱可能に構成されているので、突起部材を取り外すことにより、支持桿を支柱に沿って上下に移動させることができる。従って、各部材を解体することなく、支持桿に取付けられた棚板の高さ変更を簡単に行うことができる。
【００１６】
また、本発明の第３の手段は、立設された支柱と、支柱に取り付けられ且つ自由端である前端部が支柱の前方に延びる支持桿とを備えており、支持桿に下向き荷重が加えられる片持ち型の支持桿の取付構造であって、支持桿は、支柱に取り付けるための連結部と、連結部から前方に突出する桿部とを備え、連結部は、桿部が設けられた連結部本体と、連結部本体の後方部から突設され且つ支柱の背面に当接しうる後止め部と、連結部本体の前方部であって後止め部よりも前斜め下方位置から突設され且つ支柱の正面に当接しうる前止め部と、支柱に掛止しうる掛止部とを備え、支持桿は、連結部の後止め部及び前止め部を支柱の背面及び正面に当接させ且つ掛止部を支柱に掛止させることにより支柱に固定されており、固定状態の支持桿の桿部を下方から支柱側へと回動させることにより、連結部の後止め部又は前止め部の少なくとも一方が支柱の背面又は正面から離反すると共に、掛止部の支柱に対する掛止が解除されることを特徴とする支持桿の取付構造に係る。
上記支持桿の取付構造は、固定状態の支持桿の桿部を下方から支柱側へと回動させることにより、連結部の後止め部又は前止め部の少なくとも一方が支柱の背面又は正面から離反すると共に掛止部の支柱に対する掛止が解除されるので、支持桿の連結部を支柱に対して自由に移動させることができる。従って、各部材を解体することなく、支持桿の高さ変更を簡単に行うことができる。
【発明の効果】
【００１７】
本発明のラックは、各部材を取り外して棚板などを解体せずに、棚板の高さを簡単に変更することができる。さらに、本発明のラックは、外観や取扱い性にも優れている。
また、本発明の支持桿の取付構造は、各部材を取り外して解体せずに、支持桿の固定高さを簡単に変更することができる。
【発明を実施するための最良の形態】
【００１８】
以下、本発明を図面を参照しつつ説明する。
（第１実施形態）
図１は、本発明に係るラックの全体斜視図で、図２は、支柱を背面側から見た図で、図３は、支持桿の上面及び側面図で、図４は、ラックの支柱の一部を水平方向に切断して上面から見た図で、図５は、支持桿と支柱の固定状態を示すため支柱を縦方向に切断した状態に於いて側面から見た図である。
【００１９】
図１〜図５に於いて、１は、左右一対の支柱２，２と、支柱２に後端部が取り付けられ且つ自由端である前端部が支柱２の前方に延びる一対の支持桿３と、一対の支持桿３，３間に架設された棚板５とを備える正面開放型の組立式ラックを示す。支柱２と支持桿３は、互いに独立した部材であり、ボルトなどの取付具を使用しないで取り付けられており、後端部のみが支柱２に支持された片持ち型である。
【００２０】
支柱２は、図２に示すように、例えば水平断面略長方形の金属製角状パイプからなり、その背面２ａには、長手方向に所定間隔をあけて複数の孔部２１が形成されている。この孔部２１の形成間隔は、棚板５を適宜高さに調整をすることを考慮して設計され、例えば３〜７ｃｍが適当である。孔部２１の形状は、例えば水平方向（長手方向に直交する方向）に拡がる横長状に形成されている。尚、支柱２はパイプからなるので、支柱２の背面２ａ、正面２ｃ、及び内側の側面２ｂは、上下方向に平坦な面となっている。
さらに、支柱２の下端部には、支柱２を自立させるための脚部２２が設けられている。この脚部２２は、例えば支柱２と同じ角状パイプからなり、支柱２に対して略直角に前方へ延びるように溶接又は取付具などで固着されている。尚、脚部２２下面の前後方部には、アジャスター２３がそれぞれ設けられている。
一方、支柱２の上端部には、昇降可能な突張り桿２４が設けられている。この突張り桿２４を上昇させながら天井などに押し付け、支柱２に対してネジなどで固定することにより、支柱２を安定的に立設することができる。尚、一対の支柱２，２の間には、間隔保持用の補助桿２５がボルトなどの取付具を用いて着脱可能に取り付けられている。
【００２１】
支持桿３は、支柱２に取り付けられる連結部６と、この連結部６から前方に突設された棒状の桿部７を備えている。
連結部６は、支柱２の内側の側面２ｂに面当接しうる基面部６１ａを有する連結部本体６１と、この連結部本体６１の後方部から突設され、且つ支柱２の背面２ａに面当接しうる後面部６２と、連結部本体６１の前方部から突設され、且つ支柱２の正面２ｃに面当接しうる前面部６３と、前記後面部６２の上方部に形成された掛止部６４とを備えている。
具体的には、連結部本体６１は、略長方形の板状体からなり、連結部本体６１の外側には桿部７の後端部が固着されている。後面部６２は、平面状を成し、連結具本体６１の基面部６１ａに対して略直角に突設されており、桿部７に対しても略直角とされている。この後面部６２の上方部には、支柱２の孔部２１に挿入可能で且つ孔部２１の下縁に掛止可能な掛止部６４が設けられている。この掛止部６４は、後面部６２から前方に延びる挿入部６４ａとこの挿入部６４ａの先端から下方に延びる鉤部６４ｂとからなる。前面部６３は、平面状を成し、連結具本体６１の基面部６１ａに対して略直角に突設されているが、後面部６２に対しては非平行となっている。すなわち、前面部６３は、その下端部６３ａ（前止め部に相当する）と後面部６２の下端部６２ａとの間隔が支柱２の厚みに対応しており（背面２ａから正面２ｃまでの長さより僅かに長く、支柱２に沿って摺動させることができる程度）、下端部６３ａを始点として前斜め上方に延設されている。従って、前面部６３は、後面部６２に対して僅かに上開き傾斜して突設されている。
上記支持桿３は、その後面部６２を支柱２の背面２ａに面当接させ且つ掛止部６４を孔部２１に挿入掛止させると共に、前面部６３の下端部６３ａを支柱２の正面２ｃに当接させることにより、支柱２に固定されている。
【００２２】
棚板５は、矩形状の板状体からなり、支持桿３の桿部７にボルトなどの取付具を介して着脱可能に取付られている。また、棚板５の中央部は、一対の桿部７，７間に設けられた補助桿７１にて下方から支持されている。この補助桿７１は、左右の支持桿３，３を連結する機能もあり、左右の桿部７，７の中央部にボルトなどの取付具を用いて着脱可能に取り付けられている。
【００２３】
上記構成からなるラック１の組立て手順は、左右一対の支柱２，２を立設し、その間に補助桿２５を適宜位置に架設する。次に、左右の支柱２，２の内側の側面２ｂ側から、支持桿３の連結部６を各々嵌め、同じ高さの孔部２１に掛止部６４をそれぞれ挿入掛止することにより、後面部６２が支柱２の背面２ａに面で接し且つ前面部６３の下端部６３ａが支柱２の正面２ｃに点で接し、連結部６が支柱２の正背面２ｃ，２ａに挟着し、これによって支持桿３が支柱２に固定される。この左右の支持桿３，３の間に補助桿７１を架設し、最後に、支持桿３の桿部７に棚板５を取り付けることにより、ラック１の組立てが完了する。
【００２４】
上記構成からなるラック１は、棚板５に物品などを載置して使用される。この棚板５を支持する支持桿３の取付構造は、連結部６の後面部６２が支柱２の背面２ａに面で接し且つ前面部６３の下端部６３ａが支柱２の正面２ｃに当たっているので、棚板５に下向き荷重が加わると、後面部６２が支柱２の背面２ａに強く圧着され、他方、前面部６３の下端部６３ａが支柱２の正面２ｃに強く圧着される。従って、支持桿３は支柱２に頑丈に取り付けられることとなる。さらに、掛止部６４は、支柱２の孔部２１の縁に上方から引掛けているので、連結部６が不用意に外れる虞がない。
また、孔部２１は支柱２の背面２ａに形成されているので、ラック１の正面に於ける美観を損ねることがなく、また、支柱２には、各面２ａ，…が平坦状であって突起部分が形成されていないので、流通、組立、使用時などに衣服などに引掛かる虞はない。
【００２５】
次に、棚板５の高さを変更したい場合には、左右の桿部７，７を下方から少し持ち上げて掛止部６４の掛止を解除させながら、桿部７を支柱２側に回動させる（図５の矢印で示す）。この動作により、図６に示すように、掛止部６４が支柱２の孔部２１から抜けると共に、連結部６の後面部６２が支柱２から離れ、他方、前面部６３が支柱２の正面２ｃに面で接する。この状態で桿部７を上下に移動させることにより、前面部６３が支柱２の正面２ｃに沿ってスムースに摺動し、棚板５を所望の高さ位置まで簡単に移動できる。そして、桿部７を手前に引いて掛止部６４を孔部２１に掛止させることにより、棚板５の高さ変更を行うことができる。
このように棚板５を支持桿３から取り外すことなく、非常に簡単に棚板５の固定位置を変更することができる。
【００２６】
次に、図７は、何れも支持桿の取付構造の変形例を示す側面図（支柱２のみを縦断面で示す）である。
図７（ａ）に示すものは、支持桿３の連結部本体６１の前方部に、（前面部６３が設けられておらず）支柱２の正面２ｃに当接しうる前止め部６３ｂが突設されている。この前止め部６３ｂは、連結部本体６１の基面部６１ａに対して略直角に突設されている。また、この前止め部６３ｂは、上記前面部６３の下端部６３ａと同様の位置に形成されている、即ち、前止め部６３ｂと後面部６２の下端部６２ａとの間隔は支柱２の厚みに対応している。かかる支持桿３も連結部６の後面部６２が支柱２の背面２ａに面で接し且つ前面部６３の前止め部６３ｂが支柱２の正面２ｃに当たるので、支柱２に頑丈に固定され、他方、桿部７を下方から少し持ち上げて支柱２側に回動させることにより、掛止部６４の掛止が解除され、各部材を解体することなく支持桿３を上下に簡単に移動させることができる。
【００２７】
図７（ｂ）に示すものは、支持桿３の連結部本体６１の後方部に、（後面部６２が設けられておらず）支柱２の背面２ｃに当接しうる後止め部６２ｂが突設されており、この後止め部６２ｂの前斜め下方位置から支柱２の正面２ｃに当接しうる前止め部６３ｂが突設されている。かかる支持桿７も支柱２に固定でき、支柱２側へと回動させることにより、掛止部６４の掛止が解除されると共に、後止め部６２ｂが支柱２の背面２ａから離れるので、各部材を解体せずに支持桿３を上下に移動させることができる。
【００２８】
図７（ｃ）に示すものは、前面部６３が、桿部７に対して略直角となるように突設されていると共に、その下方部には、支柱２の孔部２１に挿入掛止可能な掛止部６４が設けられている。一方、後面部６２は、後面部６２の上端部と前面部６３の上端部との間隔が支柱２の厚みに対応しており、上端部を始点として後斜め下方に延びて突設されているものである。この場合には、正面２ｃに複数の孔部２１が形成された支柱２が用いられる。かかる変形例も同様に、支持桿３を支柱２に固定でき、支柱２側へと回動させることにより、掛止部６４の掛止が解除されるので、各部材を解体せずに支持桿３を上下移動させることができる。
【００２９】
図８は、支持桿の取付構造の変形例を示す上面図（支柱のみを横断面で示す）である。
図８に示すものは、支持桿３の連結部本体６１が、支柱２の両側の側面２ｂ，２ｂを挟み込むように、対面する一対の基面部６１ａ，６１ａで構成されているものである。
また、図９に示すものは、連結部６の掛止部６４が、（鉤部が設けられておらず）支柱２の孔部２１に挿入脱可能な挿入部６４ａからなるものである。かかる掛止部６４が設けられた連結部６は、係止部６を孔部２１に挿入することによって止められる。尚、かかる掛止部６４の場合、桿部７に下方から支柱方向へと不用意に力が加わった際に外れる虞があるため、図示したように、支柱２の正面２ｃと連結部６の前面部６３の間に楔状の詰め部材９を嵌入することが好ましい。
【００３０】
図１０（ａ）は、支柱２に形成された孔部２１の形状の変形例を示す斜視図である。この孔部２１は、上縁中央が上方に拡がった山型状の上縁部２１ａが形成されている。かかる変形例の孔部２１は、上縁中央が上方に拡がっているので、掛止部６４を孔部２１に簡易に挿入脱することができる。
図１０（ｂ）は、掛止部６４の変形例を示す斜視図である。この掛止部６４は、挿入部６４ａ及び鉤部６４ｂが先端に向かうに従い幅狭に形成されている。かかる変形例の掛止部６４は、先端に向かうに従い幅狭に形成されているので、掛止部６４を支柱２の孔部２１にスムースに挿入することができる。尚、特に図示しないが、掛止部６４の鉤部６４ｂのみが先端に向かうに従い幅狭に形成されているものでも同様の効果がある。
その他、特に図示しないが、支柱２は角状のものに限定されず、例えば水平断面略円形の円状支柱を使用することもできる。さらに、連結部６と竿部７とを一体的に成形して支持桿３を構成することも可能である。
【００３１】
（第２実施形態）
第２実施形態は、支持桿を固定するため、支柱に着脱可能な突起部材を設けた点を特徴とする。以下、主として上記各実施形態と異なる部分を説明し、同様の構成については、用語及び図番を援用し、その説明を省略する。
【００３２】
図１１は、支持桿の上面及び側面図で、図１２は、支持桿と支柱の固定状態を示すため支柱を縦方向に切断した状態に於いて側面から見た図である。
本実施形態の支持桿３は、連結部本体６１の後面部６２及び前面部６３が平行に且つ支柱２の厚みに対応して（背面から正面までの長さより僅かに長い程度）突設されており、従って、連結部６は、全体として上面略コの字状に形成されている。尚、連結部６には、掛止部６４が設けられていない。さらに、支柱２の孔部２１には、着脱可能な突起部材８が取り付けられている。この突起部材８は、例えば支柱２の孔部２１に強く圧入することにより、一端部が孔部２１に嵌着できるようになっている。この突起部材８の上縁に支持桿３の連結部６を載せることにより、支持桿３は下方から支えられ、支柱２の所定位置で固定されている。
【００３３】
本実施形態に係るラック１は、突起部材８が、支柱２に対して着脱可能であるため、この突起部材８を取り外して支持桿３の連結部６を支柱２に沿って上下に移動させ、所望位置で再び突起部材８を取り付けることにより、棚板５の高さを簡易に変更することができる。
【００３４】
（他実施形態）
尚、本発明の支持桿の取付構造は、棚板５を設けたラック１に適用されるだけでなく、例えば図１３（ａ）に示すように、左右一対の支柱２に左右一対の支持桿３を設け、この桿部７に横棒７２を架設することにより、衣服などを吊り下げるハンガー装置１０に適用することもできる。また、同図（ｂ）に示すように、支持桿３の桿部７の適宜位置に、上方に突出する凸部７３を設けることにより、桿部７に直接衣服を吊り下げるハンガー装置１０に適用することもでき、この場合には、図８に示すような、支持桿３の連結部本体６１が支柱２の両側の側面２ｂ，２ｂを挟み込むような連結部６を備える支持桿３を用いることが好ましい。
【図面の簡単な説明】
【００３５】
【図１】本発明のラックの一実施形態を示す斜視図。
【図２】支柱を背面から見た状態を示す一部省略斜視図。
【図３】（ａ）は、支持桿の上面図、（ｂ）は、同側面図。
【図４】図１のＡ−Ａ線に於ける中央部省略横断面図。但し中央部を省略し、棚板を仮想二点鎖線で示す。
【図５】図１のＢ−Ｂ線に於ける一部省略縦断面図。
【図６】図５の支持桿を回動させた状態を示す一部省略縦断面図。
【図７】（ａ）〜（ｃ）共に、支持桿の取付構造の他の実施形態を示す一部省略縦断面を含む側面図。
【図８】支持桿の取付構造の他の実施形態を示す横断面を含む上面図。
【図９】支持桿の取付構造の他の実施形態を示す一部省略縦断面を含む側面図。
【図１０】（ａ）は、支柱の孔部の他の実施形態を示す一部省略斜視図、（ｂ）は、掛止部の他の実施形態を示す一部省略斜視図。
【図１１】（ａ）は、本発明の他の実施形態に係るラックに使用される支持桿の上面図、（ｂ）は、同側面図。
【図１２】（ａ）は、他の実施形態に係るラックを示す一部省略縦断面を含む側面図、（ｂ）は、支持桿を移動させた状態を示す一部省略縦断面を含む側面図。
【図１３】（ａ）、（ｂ）共に、支持桿の取付構造の他の用途を示す斜視図。
【符号の説明】
【００３６】
１…ラック
２…支柱
２ａ…支柱の背面
２ｂ…支柱の側面
２ｃ…支柱の正面
２１…孔部
２２…脚部
２３…アジャスター
２４…突張り棒
２５…補助桿
３…支持桿
５…棚板
６…連結部
６１…連結部本体
６１ａ…連結部本体の基面部
６２…後面部
６２ａ…後面部の下端部
６２ｂ…後止め部
６３…前面部
６３ａ…前面部の下端部
６３ｂ…前止め部
６４…掛止部
６４ａ…掛止部の挿入部
６４ｂ…掛止部の鉤部
７…桿部
７１…補助桿
７２…横棒
７３…凸部
８…突起部材
９…詰め部材
１０…ハンガー装置
【図１】
2006015044.tif 000003
【図２】
2006015044.tif 000004
【図３】
2006015044.tif 000005
【図４】
2006015044.tif 000006
【図５】
2006015044.tif 000007
【図６】
2006015044.tif 000008
【図７】
2006015044.tif 000009
【図８】
2006015044.tif 000010
【図９】
2006015044.tif 000011
【図１０】
2006015044.tif 000012
【図１１】
2006015044.tif 000013
【図１２】
2006015044.tif 000014
【図１３】
2006015044.tif 000015